【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
複数の平板状の円形リング体を端面間に所定の隙間を設けて積層することにより円筒体状に形成されたストレーナを該ストレーナを支持する回転軸の周りで回転させ、前記ストレーナの外部領域に導入された固形物と液体との混合物から、液体のみを前記円形リング体の端面間に通過させることにより、混合物から固形物を分離する固液分離装置において、
前記ストレーナは、前記回転軸を水平とし、ストレーナの両端開口部分を閉塞させた状態でケースに、１台、収容され、
該ケースには、前記ストレーナの外部領域に前記混合物の導入口が形成され、前記ストレーナの内部領域に前記円形リング体の端面間を通過した液体を排出する排出口が形成され、前記導入口に対し前記ストレーナの回転方向下流側の前記ストレーナの外部領域に、前記混合物から分離された固形物をケースの外部に取り出す取出口が形成され、
前記ケースの前記取出口に近接して、前記円形リング体の各々の端面間に先端が進入する複数の平板状凸片が積層して形成されたスクレーパが取り付けられ、
前記円形リング体には、円形リング体の外周面上に円形リング体と一体に突起部が突設され、
前記ケースは、前記突起部の移動方向に沿った円弧状の内周面が形成された筒状収容部を備えることを特徴とする固液分離装置。
【請求項２】
前記導入口は、前記ケースの底部に設けられ、前記排出口は、前記導入口よりも上位置に設けられ、前記取出口は、前記排出口よりも上位置に設けられていることを特徴とする請求項１記載の固液分離装置。
【請求項３】
前記ストレーナは、前記突起部の周方向の位置を合わせて円形リング体を積層することにより、周方向の複数個所にストレーナの軸線方向に延びるリブ部が前記突起部により構成された形態に設けられていることを特徴とする請求項１または２記載の固液分離装置。
【請求項４】
前記ストレーナは、前記突起部の周方向の位置を順次偏位させて円形リング体を積層することにより、前記ストレーナの外周面に螺旋状に突起部が配置された形態に設けられていることを特徴とする請求項１または２記載の固液分離装置。
【請求項５】
前記円形リング体は、平板状の第１円形リング体、および該第１円形リング体と同一の外径に形成され、外周面に所定角度間隔で前記突起部が複数形成された平板状の第２円形リング体とを備えていることを特徴とする請求項３または４記載の固液分離装置。
【請求項６】
前記取出口の前記ストレーナの回転方向上流側に、前記スクレーパに対向して、
一辺が回動自在に支持され、ストレーナの回転方向下流側の他辺が前記一辺を支点として揺動自在にかつ付勢手段により前記スクレーパに対して常時付勢された蓋体が設けられていることを特徴とする請求項１〜５のいずれか一項記載の固液分離装置。
【請求項７】
前記スクレーパは、前記蓋体が当接する外面が、ストレーナの接線方向に沿って下方に延びる斜面に形成されていることを特徴とする請求項６記載の固液分離装置。
【請求項８】
前記スクレーパは、前記ストレーナの両端部に配された円形リング体の外周面に付着した固形物を掻き取る板状の第１凸片と、
前記各円形リング体の隙間内に先端側が侵入し、円形リング体の端面に付着した固形物を掻き取る第２凸片と、
該第２凸片を挟持する支持片とを備えることを特徴とする請求項１〜７のいずれか一項記載の固液分離装置。
【請求項９】
前記ストレーナの外周面と前記ケースの内面との間の間隔が前ストレーナの回転方向に沿って次第に狭まる絞り領域が、前記導入口と取出口までの少なくとも一部に設けられていることを特徴とする請求項１〜８のいずれか一項記載の固液分離装置。
【手続補正２】
【補正対象書類名】明細書
【補正対象項目名】０００５
【補正方法】変更
【補正の内容】
【０００５】
本発明は上記課題を解決するために、請求項１記載の固液分離装置は、複数の平板状の円形リング体を端面間に所定の隙間を設けて積層することにより円筒体状に形成されたストレーナを該ストレーナを支持する回転軸の周りで回転させ、前記ストレーナの外部領域に導入された固形物と液体との混合物から、液体のみを前記円形リング体の端面間に通過させることにより、混合物から固形物を分離する固液分離装置において、前記ストレーナは、前記回転軸を水平とし、ストレーナの両端開口部分を閉塞させた状態でケースに、１台、収容され、該ケースには、前記ストレーナの外部領域に前記混合物の導入口が形成され、前記ストレーナの内部領域に前記円形リング体の端面間を通過した液体を排出する排出口が形成され、前記導入口に対し前記ストレーナの回転方向下流側の前記ストレーナの外部領域に、前記混合物から分離された固形物をケースの外部に取り出す取出口が形成され、前記ケースの前記取出口に近接して、前記円形リング体の各々の端面間に先端が進入する複数の平板状凸片が積層して形成されたスクレーパが取り付けられ、前記円形リング体には、円形リング体の外周面上に円形リング体と一体に突起部が突設され、前記ケースは、前記突起部の移動方向に沿った円弧状の内周面が形成された筒状収容部を備えることを特徴とする。
【手続補正３】
【補正対象書類名】明細書
【補正対象項目名】０００７
【補正方法】変更
【補正の内容】
【０００７】
また、前記導入口は、前記ケースの底部に設けられ、前記排出口は、前記導入口よりも上位置に設けられ、前記取出口は、前記排出口よりも上位置に設けられていることにより、前記ケース内には、排出口のレベルまで液体が常時溜まった状態になる。したがって、導入口からケース内に入った液体に含まれる固形物は、溜まった液体内に散乱してストレーナの外周面に全体に広がる。これにより、ストレーナの一部が常に固形物の濃度が濃い部分を濾過するという現象を回避でき、効率のよい脱水が行えるようになる。また、取出口が排出口よりも上位置に設けられていることにより、固形物は液面から外部に出た状態で取出口まで移動し、その間にも固液分離がなされる。
【手続補正４】
【補正対象書類名】明細書
【補正対象項目名】０００８
【補正方法】変更
【補正の内容】
【０００８】
また、前記ストレーナは、前記突起部の周方向の位置を合わせて円形リング体を積層することにより、周方向の複数個所にストレーナの軸線方向に延びるリブ部が前記突起部により構成された形態に設けられていること、また、前記ストレーナは、前記突起部の周方向の位置を順次偏位させて円形リング体を積層することにより、前記ストレーナの外周面に螺旋状に突起部が配置された形態に設けられていることにより、混合物中に含まれる固形物を突起部により掻き上げて取り出すストレーナによる固形物を搬送する作用と、ストレーナによる固液分離作用がなされる。
【手続補正５】
【補正対象書類名】明細書
【補正対象項目名】０００９
【補正方法】変更
【補正の内容】
【０００９】
また、前記円形リング体は、平板状の第１円形リング体、および該第１円形リング体と同一の外径に形成され、外周面に所定角度間隔で前記突起部が複数形成された平板状の第２円形リング体とを備えていることを特徴とする。
【手続補正６】
【補正対象書類名】明細書
【補正対象項目名】００１０
【補正方法】変更
【補正の内容】
【００１０】
また、前記取出口の前記ストレーナの回転方向上流側に、前記スクレーパに対向して、一辺が回動自在に支持され、ストレーナの回転方向下流側の他辺が前記一辺を支点として揺動自在にかつ付勢手段により前記スクレーパに対して常時付勢された蓋体が設けられていることにより、回転するストレーナによって搬送されて移動してくる固形物を蓋体で押し、内部に含まれている液体を絞り取ることができ、一層固液分離性能が向上する。
また、前記スクレーパは、前記蓋体が当接する外面が、ストレーナの接線方向に沿って下方に延びる斜面に形成されていることにより、蓋体との間で固形物から液体をさらに効率的に絞り取ることができる。
【手続補正７】
【補正対象書類名】明細書
【補正対象項目名】００１１
【補正方法】変更
【補正の内容】
【００１１】
また、前記スクレーパは、前記ストレーナの両端部に配された円形リング体の外周面に付着した固形物を掻き取る板状の第１凸片と、前記各円形リング体の隙間内に先端側が侵入し、円形リング体の端面に付着した固形物を掻き取る第２凸片と、該第２凸片を挟持する支持片とを備えることを特徴とする。
【手続補正８】
【補正対象書類名】明細書
【補正対象項目名】００１２
【補正方法】変更
【補正の内容】
【００１２】
また、前記ストレーナの外周面と前記ケースの内面との間の間隔が前ストレーナの回転方向に沿って次第に狭まる絞り領域が、前記導入口と取出口までの少なくとも一部に設けられている構成とすると、回転するストレーナの外周面に付着して移動してくる固形物に含まれる液体を、絞り領域でさらに絞り取ることができ、脱水効果を上げることができる。